(57)【要約】      （修正有）【課題】ユーザのアーチの形態によって補助的な支持効果を調整できるインソール用アーチ支持調整構造を提供する。【解決手段】踏込み面２０１と、下面２０２とを有し、踏込み面２０１には、人体の足の裏のアーチに対応するアーチ区が設けられ、アーチ区には、人体の足の裏のアーチの形状に対応する支持部２２１が設けられ、下面２０２には、支持部２２１に向いている緩衝空間２４が設けられる本体２０と、該本体２０の緩衝空間２４内に設けられる調整具３０とを含み、人体の足の裏は本体２０の踏込み面２０１を押え可能であり、支持部２２１は、緩衝空間２４へ弾性的に変形可能であり、調整具３０の変形余裕を支持して調整するためのものである。【選択図】図４
0003172369.tif 000002
【実用新案登録請求の範囲】
【請求項１】
踏込み面と、下面と、を有し、前記踏込み面には、人体の足の裏のアーチに対応するアーチ区が設けられ、前記アーチ区には、人体の足の裏のアーチの形状に対応する支持部が設けられ、前記下面には、前記支持部に向いている緩衝空間が設けられる本体と、
前記本体の前記緩衝空間内に設けられる調整具と、を含み、
人体の足の裏は前記本体の前記踏込み面を押え可能であり、前記支持部は、前記緩衝空間へ弾性的に変形可能であり、前記調整具の変形余裕を支持して調整するためのものであることを特徴とするインソール用アーチ支持調整構造。
【請求項２】
前記調整具は、弾性を有する軟質構造体であり、その厚さが前記本体の前記緩衝空間の深さと同じであることを特徴とする、請求項１に記載のインソール用アーチ支持調整構造。
【請求項３】
前記調整具の厚さは前記本体の前記緩衝空間の深さよりも大きいことを特徴とする、請求項１に記載のインソール用アーチ支持調整構造。
【請求項４】
前記調整具の厚さは前記本体の前記緩衝空間の深さよりも小さいことを特徴とする、請求項１に記載のインソール用アーチ支持調整構造。
【請求項５】
前記調整具は弾性を有する軟質構造体であることを特徴とする、請求項３又は請求項４に記載のインソール用アーチ支持調整構造。
【請求項６】
前記調整具は弾性を有しない硬質構造体であることを特徴とする、請求項３又は請求項４に記載のインソール用アーチ支持調整構造。
【考案の詳細な説明】
【技術分野】
【０００１】
本考案は、インソールに関し、特に、ユーザのアーチの形態によって補助的な支持効果を調整できるインソール用アーチ支持調整構造に関するものである。
【背景技術】
【０００２】
人体の足の裏は、前足の裏、アーチと踵に分けられる。アーチは、エネルギーの消え及び振動の緩和という効果を有する。ユーザが長時間に立つ、歩く、又は運動するときには、適当の緩衝具によりアーチを支持しないと、足の筋肉が疲労しやすい。上記の問題を解決するために、図１ａ及び図１ｂに示したインソール１０が提案された。インソール１０は、人体の足の裏に対応する、前足の裏区１１、アーチ区１２及び踵区１３を有する。アーチ区１２は、中実であり、足の裏のアーチに対応する支持部１２１を有する。支持部１２１により、足の裏のアーチが十分に支持される。
【０００３】
しかし、ユーザが長時間に立つ場合には、アーチが体の重量を分散する機能を有するが、インソールの支持力が充分ではないと、快適で長時間に立つことができない。なお、ユーザが長時間に歩く場合には、アーチが衝撃力を吸収する機能を有するが、インソールの弾性力が充分ではないと、快適で長時間に歩くことができない。従来のインソール１０は、一体発泡されたものであるため、ユーザによってインソールの支持力及び弾性力を増減することができない。
【０００４】
一方、市販しているインソールは、各種類があり、ユーザは自身のアーチによって選択できるが、各ユーザのアーチの構造は若干の異なりがあり、先天的の脚部の病気、又は後天的の不正使用により、アーチの構造は色々の異常形態があるため、支持力を調整する機能を有しない従来のインソールによれば、ユーザは快適で長時間に立つか、又は歩くことができない。
【考案の概要】
【考案が解決しようとする課題】
【０００５】
本考案の主な目的は、ユーザのアーチの形態によって補助的な支持効果を調整できるインソール用アーチ支持調整構造を提供することにある。
【課題を解決するための手段】
【０００６】
本考案のインソール用アーチ支持調整構造によると、踏込み面と、下面と、を有し、踏込み面には、人体の足の裏のアーチに対応するアーチ区が設けられ、アーチ区には、人体の足の裏のアーチの形状に対応する支持部が設けられ、下面には、支持部に向いている緩衝空間が設けられる本体と、本体の緩衝空間内に設けられる調整具と、を含み、人体の足の裏は本体の踏込み面を押え可能であり、支持部は、緩衝空間へ弾性的に変形可能であり、調整具の変形余裕を支持して調整するためのものであることを特徴とする。
【０００７】
本考案のインソール用アーチ支持調整構造によると、調整具は、弾性を有する軟質構造体であり、その厚さが本体の緩衝空間の深さと同じであることを特徴とする。
【０００８】
本考案のインソール用アーチ支持調整構造によると、調整具の厚さは本体の前記緩衝空間の深さよりも大きいことを特徴とする。
【０００９】
本考案のインソール用アーチ支持調整構造によると、調整具の厚さは本体の緩衝空間の深さよりも小さいことを特徴とする。
【００１０】
本考案のインソール用アーチ支持調整構造によると、調整具は弾性を有する軟質構造体であることを特徴とする。
【００１１】
本考案のインソール用アーチ支持調整構造によると、調整具は弾性を有しない硬質構造体であることを特徴とする。
【考案の効果】
【００１２】
本考案のインソール用アーチ支持調整構造によれば、ユーザのアーチの形態によって補助的な支持効果を調整できるという効果を有する。
【図面の簡単な説明】
【００１３】
【図１ａ】従来のインソールの構成を示す模式図である。
【図１ｂ】従来のインソールの構成を示す断面図である。
【図２】本考案の一実施例を示す分解斜視図である。
【図３】本考案の一実施例の組合済み状態を示す上面図である。
【図４】本考案のインソールの収容空間と調整具の組合を示す断面図である。
【図５ａ】本考案のインソールの収容空間と調整具の別の組合を示す断面図である。
【図５ｂ】図５ａのインソールの使用状態を示す模式図である。
【図６ａ】本考案のインソールの収容空間と調整具の更に別の組合を示す断面図である。
【図６ｂ】図６ａのインソールの使用状態を示す模式図である。
【考案を実施するための最良の形態】
【００１４】
以下、本考案の実施の形態を図面に基づいて説明する。
まず、図２乃至図４を参照する。本考案の一実施例のインソール用アーチ支持調整構造は、本体２０と、調整具３０と、を含む。本体２０は、踏込み面２０１と、下面２０２と、を有する。踏込み面２０１には、人体の足の裏Ａに対応する、前足の裏区２１と、アーチ区２２と、踵区２３と、が設けられる。
【００１５】
本体２０のアーチ区２２には、人体の足の裏Ａのアーチの形状に対応する支持部２２１が設けられる。下面２０２には、支持部２２１に向いている緩衝空間２４が設けられる。緩衝空間２４は深さｈを有する。
【００１６】
調整具３０は、本体２０の緩衝空間２４内に設けられ、厚さＨを有する。
【００１７】
人体の足の裏Ａは本体２０の踏込み面２０１を押えているときに、緩衝空間２４が支持部２２１の弾性的な変形を収容する空間となる。支持部２２１は、調整具３０の変形余裕を支持して調整するためのものである。
【００１８】
次に、図４乃至図６ｂを参照しながら本実施例の使用方法及び効果を説明する。
【００１９】
本考案の一実施例のインソール用アーチ支持調整構造の使用方法は、本体２０の緩衝空間２４の深さｈと調整具３０の厚さＨの組合により、インソールの支持力又は弾性力を増減に調整することができることにある。本考案のインソールによれば、長時間に立つ、歩く、又は立ち時間と歩き時間の割合がほぼ同じである場合には、ユーザは、自分のアーチの形態によって適正のインソールを選択して利用することにより、立つ、歩く、又は運動することが快適となる。
【００２０】
図４を参照する。調整具３０の厚さＨが本体２０の緩衝空間２４の深さｈと同じである本考案のインソール用アーチ支持調整構造によれば、調整具３０が弾性を有する軟質構造体であり、緩衝空間２４に調整具３０を完全に充填して支持部２２１の支持力を形成することにより、調整具３０の弾性によって、支持部２２１が外力を受けた後に変形余裕を有するため、支持部２２１が緩衝空間２４へ弾性的に変形する。このように、立ち時間と歩き時間の割合がほぼ同じであるユーザに適合するインソールを構成できる。
【００２１】
図５ａ及び図５ｂを参照する。調整具３０の厚さＨが本体２０の緩衝空間２４の深さｈよりも小さくて、調整具３０が弾性を有しない硬質構造体である本考案のインソール用アーチ支持調整構造によれば、緩衝空間２４に調整具３０を入れた後、緩衝空間２４に若干の空間が残るため、支持部２２１が外力を受けるときに、図４に示すように、変形可能の空間が大きい。このように、このようなインソールによれば、ユーザが長時間に歩いても、脚部が快適である。本実施例では、調整具３０が弾性を有する軟質構造体であってもよい。そうすると、支持部２２１の変形余裕及びインソールの弾性は更に増加する。
【００２２】
図６ａ及び図６ｂを参照する。調整具３０の厚さＨが本体２０の緩衝空間２４の深さｈよりも大きい本考案のインソール用アーチ支持調整構造によれば、調整具３０は、緩衝空間２４を充填した後、若干の部分が緩衝空間２４から突出する。本実施例では、調整具３０が弾性を有する軟質構造体であるため、支持部２２１は、外力を受けても、支持力が極めて良い。このように、このようなインソールによれば、ユーザは長時間に立っても、脚部が快適である。また、調整具３０は、弾性を有する軟質構造体であるため、脚部の快適度を増加できる。本実施例では、調整具３０が弾性を有しない硬質構造体であってもよい。そうすると、支持部２２１の高さを増加でき、支持部２２１の支持力を増加することもできる。
【産業上の利用可能性】
【００２３】
本考案は、インソールに適用することができる。
【符号の説明】
【００２４】
１０：インソール
１１：前足の裏区
１２：アーチ区
１２１：支持部
１３：踵区
２０：本体
２２：アーチ区
２３：踵区
２１：前足の裏区
２４：緩衝空間
３０：調整具
２０１：踏込み面
２０２：下面
２２１：支持部
Ａ：足の裏
Ｈ：厚さ
ｈ：深さ
【図１ａ】
0003172369.tif 000003
【図１ｂ】
0003172369.tif 000004
【図２】
0003172369.tif 000005
【図３】
0003172369.tif 000006
【図４】
0003172369.tif 000007
【図５ａ】
0003172369.tif 000008
【図５ｂ】
0003172369.tif 000009
【図６ａ】
0003172369.tif 000010
【図６ｂ】
0003172369.tif 000011